(57)【特許請求の範囲】
【請求項１】
平面形状が上方側の一方側の端部に切欠部(1a)が設けられた四角形状を成していて、該切欠部(1a)の他方側端縁から他方の側縁までに至る全幅に亘る上方部位(1b)と少なくとも該上方部位(1b)に連続し該切欠部(1a)の下方側端縁から下方の側縁までに至る全長に亘る一方側側方部位(1c)とが平面状の上面(Ａ)を成し、残りの部分が該上面(Ａ)より深くプレス形成された平面状の底面(Ｂ)を成しており、該底面(Ｂ)の裏面には両端に係合鉤(3a)を有し裏方向へ向けて開口する横断面コ字状の取付用部材(３)が上下方向に対して所定角度で固定されている金属製の取付けプレート(１)と、
平面形状が幅が該取付けプレート(１)の上方部位(1b)の幅と略等しく、上下方向の長さが該取付けプレート(１)の上方の側縁から下方の側縁に至る上下方向の長さから該取付けプレート(１)の該上方部位(1b)の他方側端縁の上下方向の長さを差し引いた長さ以上で該取付けプレート(１)の上方の側縁から下方の側縁に至る上下方向の長さの２倍未満の四角形状を成していて、その上方の側縁が該取付けプレート(１)の切欠部(1a)の下方側端縁の、またその一方の側縁が該取付けプレート(１)の一方側側方部位(1c)の一方側端縁のそれぞれ近傍に位置せしめられその裏面を該取付けプレート(１)の上面(Ａ)に当接して固定されている表面材(４)と
から成ることを特徴とする内装用こけら板。
【請求項２】
取付けプレート(１)において、一方側側方部位(1c)の下方側に連続し且つ上方部位(1b)の他方側の下方側端縁から下方の側縁に至る底面(Ｂ)である他方側側方部位(1e)に到達しない下方部位(1d)も平面状の上面(Ａ)を成している請求項１に記載の内装用こけら板。
【請求項３】
上面(Ａ)に下方部位(1d)が存在する場合に一方側側方部位(1c)の一方側端縁及び該下方部位(1d)の下方側端縁に立下り辺(1c'，1d')がそれぞれ形成されている請求項２に記載の内装用こけら板。
【請求項４】
底面(Ｂ)の表面材(４)が存在しない位置に固定具挿通穴(1f)が穿設されている請求項１から３までのいずれか１項に記載の内装用こけら板。
【請求項５】
請求項１から４までのいずれか１項に記載の内装用こけら板の取付けプレート(１)の底面(Ｂ)の裏面に固定されている横断面コ字状の取付用部材(３)の両端の係合鉤(3a)と係合する係合鉤(5a)を有する長尺の固定金具(５)を建築物の下地材上に一定間隔で固定し、内装用こけら板をその取付用部材(３)の両端の係合鉤(3a)を該固定金具(５)の係合鉤(5a)に係合させて所定位置に固定した後、該固定金具(５)の長手方向には隣接する内装用こけら板を同じく取付用部材(３)の両端の係合鉤(3a)を該固定金具(５)の係合鉤(5a)に係合させてその表面材(４)を固定した内装用こけら板の表面材(４)に突き合わせる操作を繰り返して順次固定し、また該固定金具(５)の長手方向と直角方向には上方側の内装用こけら板を同じく取付用部材(３)の両端の係合鉤(3a)を上方側の固定金具(５)の係合鉤(5a)に係合させてその表面材(４)の下方側が固定した内装用こけら板の表面材(４)上に施工状態において固定したこけら板の表面材(４)と千鳥状になるように固定する操作を繰り返すことを特徴とする内装用こけら板の施工方法。
【請求項６】
内装用こけら板の底面(Ｂ)の表面材(４)が存在しない位置に固定具挿通穴(1f)が穿設されている場合において、その固定具挿通穴(1f)の位置でタッピンビスにより内装用こけら板を固定金具(５)に固定する請求項５に記載の内装用こけら板の施工方法。
【請求項７】
平面形状が上方側の一方側の端部に切欠部(1a)が設けられた四角形状を成していて、該切欠部(1a)の他方側端縁から他方の側縁までに至る全幅に亘る上方部位(1b)と少なくとも該上方部位(1b)に連続し該切欠部(1a)の下方側端縁から下方の側縁までに至る全長に亘る一方側側方部位(1c)とが平面状の上面(Ａ)を成し、残りの部分が該上面(Ａ)より深くプレス形成された平面状の底面(Ｂ)を成しており、該底面(Ｂ)の裏面には両端に係合鉤(3a)を有し裏方向へ向けて開口する横断面コ字状の取付用部材(３)が上下方向に対して所定角度で固定されている金属製の取付けプレート(１)と、
平面形状が幅が該取付けプレート(１)の上方部位(1b)の幅と略等しく、上下方向の長さが該取付けプレート(１)の上方の側縁から下方の側縁に至る上下方向の長さから該取付けプレート(１)の該上方部位(1b)の他方側端縁の上下方向の長さを差し引いた長さ以上で該取付けプレート(１)の上方の側縁から下方の側縁に至る上下方向の長さの２倍未満の四角形状を成していて、その上方の側縁が該取付けプレート(１)の切欠部(1a)の下方側端縁の、またその一方の側縁が該取付けプレート(１)の一方側側方部位(1c)の一方側端縁のそれぞれ近傍に位置せしめられその裏面を該取付けプレート(１)の上面(Ａ)に当接して固定されている表面材(４)と、
上面(Ａ)の上方部位(1b)及び底面(Ｂ)の表面側であって該取付けプレート(１)の上方部位(1b)の他方側の下方側端縁から下方の側縁に至る底面(Ｂ)の表面側に位置する他方側側方部位(1e)に沿って粘着又は固着される帯状のシール材(６)と
から成ることを特徴とする外装用こけら板。
【請求項８】
取付けプレート(１)において、一方側側方部位(1c)の下方側に連続し且つ他方側側方部位(1e)に到達しない下方部位(1d)も平面状の上面(Ａ)を成している請求項７に記載の外装用こけら板。
【請求項９】
上面(Ａ)に下方部位(1d)が存在する場合に一方側側方部位(1c)の一方側端縁及び該下方部位(1d)の下方側端縁に立下り辺(1c'，1d')がそれぞれ形成されている請求項８に記載の外装用こけら板。
【請求項１０】
上方部位(1b)の上方側端縁及び他方側側方部位(1e)の他方側端縁に立上り辺(1b'及び1e')がそれぞれ形成されている請求項７から９までのいずれか１項に記載の外装用こけら板。
【請求項１１】
底面(Ｂ)の表面側の他方側側方部位(1e)に沿って横断面Ｌ字状のシール装着部材(２)が表方向に開口部を形成するように固定されている請求項７から１０までのいずれか１項に記載の外装用こけら板。
【請求項１２】
他方側側方部位(1e)の他方側端縁に立上り辺(1e')が形成されており、底面(Ｂ)の表面側の他方側側方部位(1e)に沿って横断面コ字状のシール装着部材(２)が表方向に開口部を形成するように固定されている請求項７から９までのいずれか１項に記載の外装用こけら板。
【請求項１３】
底面(Ｂ)の表面側の他方側側方部位(1e)に沿って帯状のシール材(６)が粘着又は固着される位置に固定具挿通穴(1f)が穿設されている請求項７から１２までのいずれか１項に記載の外装用こけら板。
【請求項１４】
請求項７から１３までのいずれか１項に記載の外装用こけら板の取付けプレート(１)の底面(Ｂ)の裏面に固定されている横断面コ字状の取付用部材(３)の両端の係合鉤(3a)と係合する係合鉤(5a)を有する長尺の固定金具(５)を建築物の下地材上に一定間隔で固定し、外装用こけら板をその取付用部材(３)の両端の係合鉤(3a)を該固定金具(５)の係合鉤(5a)に係合させて所定位置に固定した後にその上面(Ａ)の上方部位(1b)及び底面(Ｂ)の表面側の他方側側方部位(1e)に沿って帯状のシール材(６)を粘着又は固着し、該固定金具(５)の長手方向には隣接する外装用こけら板を同じく取付用部材(３)の両端の係合鉤(3a)を該固定金具(５)の係合鉤(5a)に係合させてその表面材(４)をその裏面を固定した外装用こけら板の底面(Ｂ)に粘着又は固着されている帯状のシール材(６)に当接させて表面材(４)に突き合わせた後に同様に帯状のシール材(６)を粘着又は固着する操作を繰り返して順次固定し、また該固定金具(５)の長手方向と直角方向には上方側の外装用こけら板を同じく取付用部材(３)の両端の係合鉤(3a)を上方側の固定金具(５)の係合鉤(5a)に係合させてその表面材(４)をその裏面を固定したこけら板の上面(Ａ)に粘着又は固着されている帯状のシール材(６)に当接させて下方側が固定した外装用こけら板の表面材(４)上に施工状態において下方側が固定したこけら板の表面材(４)と千鳥状になるように固定した後に同様に帯状のシール材(６)を装着する操作を繰り返すことを特徴とする外装用こけら板の施工方法。
【請求項１５】
外装用こけら板の底面(Ｂ)の表面側の他方側側方部位(1e)に沿って帯状のシール材(６)が粘着又は固着される位置に固定具挿通穴(1f)が穿設されている場合において、その固定具挿通穴(1f)の位置でタッピンビスにより外装用こけら板を固定金具(５)に固定した後に帯状のシール材(６)が粘着又は固着する請求項１４に記載の外装用こけら板の施工方法。
【発明の詳細な説明】
【０００１】
【発明の属する技術分野】
本発明は、プレス加工した金属製の取付けプレートに表面材が固定されており、建築物の内壁材や天井材として用いられる意匠効果に優れた内装用こけら板と、建築物の屋根材や外壁材として用いられる雨仕舞が良好で意匠効果に優れた外装用こけら板と、これらのこけら板を下地材上に固定された固定金具に固定して施工するこけら板の施工方法に関するものである。
【０００２】
【従来の技術】
建築物の内壁や天井等の内装構造や、建築物の屋根や外壁等の外装構造としては、比較的長尺の板材を使用したものが一般的であるが、このような構造は長手方向に切れ目の無い平面状をなしているために単調で意匠効果において劣るという欠点があった。
【０００３】
一方、意匠効果を高めるために短尺のものとした代表例として瓦があるが、瓦は屋根面に使用することはできるが壁面や天井面には使用することができず、またその施工が面倒で熟練を要するという欠点があり、且つその重量が大きいという欠点があった。
【０００４】
このような欠点を解消する手段として、コロニアルと略称されている通常五角形をした部材が使用されているが、このコロニアルは屋根面に使用した場合には違和感は無いが、壁面に使用した場合には意匠性に乏しく違和感を生じるという欠点があり、また内装材としては不適であるという欠点があった。
【０００５】
かかる従来の意匠性における欠点を解消する部材として、こけら板が考えられるが、こけら板は所定位置に穿設されている固定具挿通用穴に挿通された釘や木ネジ等の固定具により下地材（屋根の場合には野地板）上に側縁部同士が重ね合わされ又は突き合わされて順次側方に、また上下方向には隣接する下側のこけら板の上縁部に上側のこけら板の下縁部を重ね合わせて固定されるので、上下方向に隣接して固定されているこけら板の重ね合わせ部や側方に隣接して固定されているこけら板の重ね合わせ部又は突合わせ部から雨水や結露した水等がこけら板の裏面側に浸入することを避けることができず、こけら板が固定されている下地材に防水シートを設置しておいてもこけら板を下地材に固定している釘や木ネジ等の固定具の部分では雨水や結露した水等が下地材に到ることを防止できないので下地材が腐食して建築物の耐久性が低下するという欠点を解消できないため、あまり普及していないのである。
【０００６】
【発明が解決しようとする課題】
本発明は、前記従来から存在する内装材や外装材における欠点を解消し、意匠効果が優れており、雨水や結露した水に対する心配のない内装用及び外装用のこけら板及びその施工方法を提供することを課題とする。
【０００７】
【課題を解決するための手段】
本発明者らは前記課題を解決すべく鋭意検討した結果、内装用こけら板としては、
平面形状が上方側の一方側の端部に切欠部が設けられた四角形状を成していて、該切欠部の他方側端縁から他方の側縁までに至る全幅に亘る上方部位と少なくとも該上方部位に連続し該切欠部の下方側端縁から下方の側縁までに至る全長に亘る一方側側方部位とが平面状の上面を成し、残りの部分が該上面より深くプレス形成された平面状の底面を成しており、該底面の裏面には両端に係合鉤を有し裏方向へ向けて開口する横断面コ字状の取付用部材が上下方向に対して所定角度で固定されている金属製の取付けプレートと、
平面形状が幅が該取付けプレートの上方部位の幅と略等しく、上下方向の長さが該取付けプレートの上方の側縁から下方の側縁に至る上下方向の長さから該取付けプレートの該上方部位の他方側端縁の上下方向の長さを差し引いた長さ以上で該取付けプレートの上方の側縁から下方の側縁に至る上下方向の長さの２倍未満の四角形状を成していて、その上方の側縁が該取付けプレートの切欠部の下方側端縁の、またその一方の側縁が該取付けプレートの一方側側方部位の一方側端縁のそれぞれ近傍に位置せしめられその裏面を該取付けプレートの上面に当接して固定されている表面材とから成っていればよく、
また外装用こけら板としては、
平面形状が上方側の一方側の端部に切欠部が設けられた四角形状を成していて、該切欠部の他方側端縁から他方の側縁までに至る全幅に亘る上方部位と少なくとも該上方部位に連続し該切欠部の下方側端縁から下方の側縁までに至る全長に亘る一方側側方部位とが平面状の上面を成し、残りの部分が該上面より深くプレス形成された平面状の底面を成しており、該底面の裏面には両端に係合鉤を有し裏方向へ向けて開口する横断面コ字状の取付用部材が上下方向に対して所定角度で固定されている金属製の取付けプレートと、
平面形状が幅が該取付けプレートの上方部位の幅と略等しく、上下方向の長さが該取付けプレートの上方の側縁から下方の側縁に至る上下方向の長さから該取付けプレートの該上方部位の他方側端縁の上下方向の長さを差し引いた長さ以上で該取付けプレートの上方の側縁から下方の側縁に至る上下方向の長さの２倍未満の四角形状を成していて、その上方の側縁が該取付けプレートの切欠部の下方側端縁の、またその一方の側縁が該取付けプレートの一方側側方部位の一方側端縁のそれぞれ近傍に位置せしめられその裏面を該取付けプレートの上面に当接して固定されている表面材と、
上面の上方部位及び底面の表面側であって該取付けプレートの上方部位の他方側の下方側端縁から下方の側縁に至る底面の表面側に位置する他方側側方部位に沿って粘着又は固着される帯状のシール材とから成っていれば、上記課題を解決できることを究明したのである。
【０００８】
そして、このような内装用及び外装用のこけら板としては、取付けプレートにおいて一方側側方部位の下方側に連続し且つ上方部位の他方側の下方側端縁から下方の側縁に至る底面である他方側側方部位に到達しない下方部位も平面状の上面を成していたり、上面に下方部位が存在する場合に一方側側方部位の一方側端縁及び下方部位の下方側端縁に立下り辺がそれぞれ形成されていたりする態様が、内装用こけら板においては底面の表面材が存在しない位置に固定具挿通穴が穿設されている態様が、また外装用こけら板においては上方部位の上方側端縁及び他方側側方部位の他方側端縁に立上り辺がそれぞれ形成されていたり、底面の表面側の他方側側方部位に沿って横断面Ｌ字状のシール装着部材が表方向に開口部を形成するように固定されていたり、他方側側方部位の他方側端縁に立上り辺が形成されており底面の表面側の他方側側方部位に沿って横断面コ字状のシール装着部材が表方向に開口部を形成するように固定されてたり、底面の表面側の他方側側方部位に沿って帯状のシール材が粘着又は固着される位置に固定具挿通穴が穿設されている態様が好ましいことも究明したのである。
【０００９】
また、このような構造の内装用こけら板を施工するには、取付けプレートの底面の裏面に固定されている横断面コ字状の取付用部材の両端の係合鉤と係合する係合鉤を有する長尺の固定金具を建築物の下地材上に一定間隔で固定し、内装用こけら板をその取付用部材の両端の係合鉤を該固定金具の係合鉤に係合させて所定位置に固定した後、該固定金具の長手方向には隣接する内装用こけら板を同じく取付用部材の両端の係合鉤を該固定金具の係合鉤に係合させてその表面材を固定した内装用こけら板の表面材に突き合わせる操作を繰り返して順次固定し、また該固定金具の長手方向と直角方向には上方側の内装用こけら板を同じく取付用部材の両端の係合鉤を上方側の固定金具の係合鉤に係合させてその表面材の下方側が固定した内装用こけら板の表面材上に施工状態において固定したこけら板の表面材と千鳥状になるように固定する操作を繰り返せばよく、底面の表面材が存在しない位置に固定具挿通穴が穿設されている場合においては更にその固定具挿通穴の位置でタッピンビスにより内装用こけら板を固定金具に固定してもよく、
外装用こけら板を施工するには、取付けプレートの底面の裏面に固定されている横断面コ字状の取付用部材の両端の係合鉤と係合する係合鉤を有する長尺の固定金具を建築物の下地材上に一定間隔で固定し、外装用こけら板をその取付用部材の両端の係合鉤を該固定金具の係合鉤に係合させて所定位置に固定した後にその上面の上方部位及び底面の表面側の他方側側方部位に沿って帯状のシール材を粘着又は固着し、該固定金具の長手方向には隣接する外装用こけら板を同じく取付用部材の両端の係合鉤を該固定金具の係合鉤に係合させてその表面材をその裏面を固定した外装用こけら板の底面に粘着又は固着されている帯状のシール材に当接させて表面材に突き合わせた後に同様に帯状のシール材を粘着又は固着する操作を繰り返して順次固定し、また該固定金具の長手方向と直角方向には上方側の外装用こけら板を同じく取付用部材の両端の係合鉤を上方側の固定金具の係合鉤に係合させてその表面材をその裏面を固定したこけら板の上面に粘着又は固着されている帯状のシール材に当接させて下方側が固定した外装用こけら板の表面材上に施工状態において下方側が固定したこけら板の表面材と千鳥状になるように固定した後に同様に帯状のシール材を装着する操作を繰り返せばよく、底面の表面側の他方側側方部位に沿って帯状のシール材が粘着又は固着される位置に固定具挿通穴が穿設されている場合においてはその固定具挿通穴の位置でタッピンビスにより外装用こけら板を固定金具に固定した後に帯状のシール材が粘着又は固着すればより好ましいことも究明したのである。
【００１０】
【発明の実施の形態】
以下、図面を用いて本発明に係るこけら板及びその施工方法について詳細に説明する。
図１は本発明に係る内装用こけら板の１実施例の構造を示す正面図、図２は図１の右側面図、図３は図１の平面図、図４は図１に示した内装用こけら板を構成する金属製の取付けプレートの斜視図、図５は本発明に係る外装用こけら板の１実施例の構造を示す正面図、図６は図５の右側面図、図７は図５の平面図、図８は図５に示した外装用こけら板を構成する金属製の取付けプレートの斜視図、図９は図１及び図５に示したこけら板を構成する表面材の正面図、図１０は図９の右側面図、図１１は図５に示した外装用こけら板にシール材を装着した状態を示す斜視図、図１２はこけら板を建築物の下地材に固定する固定金具の斜視図、図１３は本発明に係るこけら板を上下左右に連結した状態を示す正面図、図１４は図１３の平面図、図１５は図１３に示したこけら板が建築物に固定されている状態を示す側断面説明図である。
【００１１】
図面中、１は平面形状が上方側の一方側の端部に切欠部1aが設けられた四角形状を成していて、その切欠部1aの他方側端縁から他方の側縁までに至る全幅に亘る上方部位1bと、少なくとも上方部位1bに連続し切欠部1aの下方側端縁から下方の側縁までに至る全長に亘る一方側側方部位1cとが平面状の上面Ａを成し、残りの部分がこの上面Ａより深くプレス形成された平面状の底面Ｂを成しており、この底面Ｂの裏面には両端に係合鉤3aを有し裏方向へ向けて開口する横断面コ字状の取付用部材３が上下方向に対して所定角度で固定されている金属製の取付けプレートであり、一方側側方部位1cの下方側に連続し且つ上方部位1bの他方側の下方側端縁から下方の側縁に至る底面Ｂである他方側側方部位1eに到達しない下方部位1dも平面状の上面Ａを成していたり、上面Ａに下方部位1dが存在する場合には一方側側方部位1cの一方側端縁及び下方部位1dの下方側端縁に立下り辺1c'，1d'がそれぞれ形成されてもよい。
【００１２】
この取付けプレート１は、内装用こけら板である場合には底面Ｂの後述する表面材４が存在しない位置に固定具挿通穴1fが穿設されている態様があり、外装用こけら板である場合には上方部位1bの上方側端縁及び他方側側方部位1eの他方側端縁に立上り辺1b'及び1e'がそれぞれ形成されている態様や、底面Ｂの表面側の他方側側方部位1eに沿って横断面Ｌ字状のシール装着部材２が表方向に開口部を形成するように固定されている態様や、上方部位1bの上方側端縁に立上り辺1b'が形成されており且つ底面Ｂの表面側の他方側側方部位1eに沿って横断面コ字状のシール装着部材２が表方向に開口部を形成するように固定されている態様や、底面Ｂの表面側の他方側側方部位1eに沿って帯状のシール材６が粘着又は固着される位置に固定具挿通穴1fが穿設されている態様が存在する。
【００１３】
４は平面形状が幅が取付けプレート１の上方部位1bの幅と略等しく、上下方向の長さが取付けプレート１の上方の側縁から下方の側縁に至る上下方向の長さから取付けプレート１の上方部位1bの他方側端縁の上下方向の長さを差し引いた長さ以上で取付けプレート１の上方の側縁から下方の側縁に至る上下方向の長さの２倍未満の四角形状を成していて、その上方の側縁が取付けプレート１の切欠部1aの下方側端縁の、またその一方の側縁が取付けプレート１の一方側側方部位1cの一方側端縁のそれぞれ近傍に位置せしめられその裏面を取付けプレート１の上面Ａに当接して固定されている、金属材や焼成材や木材等から成る表面材であり、この表面材４と取付けプレート１とで本発明に係る内装用こけら板が構成されており、本発明に係る外装用こけら板は更に後述する帯状のシール材６とで構成されている。
【００１４】
この表面材４を取付けプレート１に固定する手段としては、図示した実施例では表面材４の裏面の所定位置にスタッドボルト4aを溶接により固定突出させておいて、このスタッドボルト4aを取付けプレート１の上面Ａの所定位置に貫通穿設しておいたスタッドボルト挿通穴1gに挿通させ取付けプレート１の裏面側でワッシャ及びナットで固定する方法を採用しているが、この方法に限定されるものではなく、例えばスポット溶接や接着剤による接着等の方法で固定してもよい。
【００１５】
５はこけら板の取付けプレート１の底面Ｂの裏面に固定されている横断面コ字状の取付用部材３の両端の係合鉤3aと係合する係合鉤5aを有する長尺の固定金具であり、その横断面形状はコ字状であっても、また図１２に示す如く中央に係合鉤5aが立設されこの係合鉤5aの両側に所定間隔を有して平行に突条部5bが立設されており両側の係合鉤5aと突条部5bとの間の下方が中空5cに形成されているような横断面形状を有していてもよく、この固定金具５は建築物の下地材（こけら板が内装用こけら板である場合には壁面下地材や天井用下地材、外装用こけら板であって屋根面を構成する場合には野地板、壁面を構成する場合には壁面下地材）上に上下方向と直角な方向又は傾斜した方向に一定間隔で固定されて使用される。
【００１６】
６はこけら板が外装用こけら板である場合に取付けプレート１の上面Ａの上方部位1b及び底面Ｂの表面側であって取付けプレート１の上方部位1bの他方側の下方側端縁から下方の側縁に至る底面Ｂの表面側に位置する他方側側方部位1eに沿って粘着又は固着される帯状のシール材であり、上方部位1bの上方側端縁に立上り辺1b'が形成されている場合にはその立上り辺1b'に沿って、また他方側側方部位1eの他方側端縁に立上り辺1e'が形成されている場合にはその立上り辺1e'に沿って、また他方側側方部位1eの他方側端縁に立上り辺1e'が形成されており底面Ｂの表面側の他方側側方部位1eに沿って横断面Ｌ字状のシール装着部材２が表方向に開口部を形成するように固定されている場合にはその立上り辺1e'とシール装着部材２の立上り辺との間に沿って、底面Ｂの表面側の他方側側方部位1eに沿って横断面コ字状のシール装着部材２が表方向に開口部を形成するように固定されている場合にはそのシール装着部材２の開口部に沿って、粘着又は固着される。
【００１７】
このような構成部材から成る本発明に係るこけら板を施工するには、先ず建築物の下地材（こけら板が内装用こけら板である場合には壁面下地材や天井用下地材、外装用こけら板であって屋根面を構成する場合には野地板、壁面を構成する場合には壁面下地材）上に、こけら板の取付けプレート１の底面Ｂの裏面に固定されている横断面コ字状の取付用部材３の両端の係合鉤3aと係合する係合鉤5aが立設されている長尺の固定金具５を上下方向と直角な方向又は傾斜した方向に一定間隔で固定する。この固定は、通常係合鉤5a，5a間の部分で釘や木ネジ等によって行う。
このような固定金具５の固定を行うに際し、こけら板が外装用こけら板である場合には、建築物の下地材上に防水シート（釘等で貫通されたとき密着して隙間を塞ぐような自己封鎖性を有するゴムアス防水シートが好ましい）を予め敷設しておくことが好ましい。
【００１８】
次いで、この固定金具５の係合鉤5aにこけら板の取付けプレート１の底面Ｂの裏面に固定されている横断面コ字状の取付用部材３の両端の係合鉤3aを係合させて位置固定する。この際、こけら板が内装用こけら板であってその底面Ｂの表面材４が存在しない位置に固定具挿通穴1fが穿設されている場合にはその固定具挿通穴1fの位置でタッピンビスにより内装用こけら板を固定金具５に固定し、こけら板が外装用こけら板であってその底面Ｂの表面側の他方側側方部位1eに沿って帯状のシール材６が粘着又は固着される位置に固定具挿通穴1fが穿設されている場合にはその固定具挿通穴1fの位置でタッピンビスにより外装用こけら板を固定金具５に固定すれば、こけら板の固定がより確実になるので好ましい。ここで、固定金具５の係合鉤5aにこけら板の取付けプレート１の底面Ｂの裏面に固定されている横断面コ字状の取付用部材３の両端の係合鉤3aを係合させて所定位置に位置させる操作は、所定位置近傍でこけら板の表面材４を打撃して固定金具５の係合鉤5a及び／又は取付用部材３の係合鉤3aを弾性により一時的に変形させることによって行えばよい。
【００１９】
しかる後、こけら板が外装用こけら板である場合には、取付けプレート１の上面Ａの上方部位1b及び底面Ｂの表面側の他方側側方部位1eに沿って帯状のシール材６を粘着又は固着する。この帯状のシール材６の粘着又は固着は、取付けプレート１の上面Ａの上方部位1bの上方側端縁に立上り辺1b'が形成されている場合にはその立上り辺1b'に沿って、また他方側側方部位1eの他方側端縁に立上り辺1e'が形成されている場合にはその立上り辺1e'に沿って、また他方側側方部位1eの他方側端縁に立上り辺1e'が形成されており底面Ｂの表面側の他方側側方部位1eに沿って横断面Ｌ字状のシール装着部材２が表方向に開口部を形成するように固定されている場合にはその立上り辺1e'とシール装着部材２の立上り辺との間に沿って、底面Ｂの表面側の他方側側方部位1eに沿って横断面コ字状のシール装着部材２が表方向に開口部を形成するように固定されている場合にはそのシール装着部材２の開口部に沿って、粘着又は固着すればよい。また、こけら板が内装用こけら板である場合には、この帯状のシール材６の粘着又は固着は必要ない。
【００２０】
次いで、固定金具５の長手方向には、隣接するこけら板を同じく取付用部材３の両端の係合鉤3aを固定金具５の係合鉤5aに係合させてその表面材４を前に固定したこけら板の表面材４に突き合わせる操作を繰り返して順次固定するのであり、この際、こけら板が外装用こけら板である場合には前に固定したこけら板の他方側側方部位1eに沿って粘着又は固着されている帯状のシール材６の表面に隣接するこけら板の表面材４の裏面が当接して取付けプレート１の底面Ｂ上の雨水等が取付けプレート１の他方側側方部位1eを越えて建築物の下地材上に流れ込むことを防止するのである。従って、こけら板が外装用こけら板である場合には隣接するこけら板の表面材４同士を突き合わせた後に、その底面Ｂの表面側の他方側側方部位1eに沿って帯状のシール材６が粘着又は固着される位置に固定具挿通穴1fが穿設されている場合にはその固定具挿通穴1fの位置でタッピンビスにより外装用こけら板を固定金具５に固定する操作及び取付けプレート１の上面Ａの上方部位1b及び底面Ｂの表面側の他方側側方部位1eに沿って帯状のシール材６を粘着又は固着する操作も繰り返して固定金具５の長手方向にこけら板を順次固定する。
【００２１】
また固定金具５の長手方向と直角方向には、上方側のこけら板を同じく取付用部材３の両端の係合鉤3aを上方側の固定金具５の係合鉤5aに係合させてその表面材４の下方側が固定したこけら板の表面材４上に施工状態において下方側が固定したこけら板の表面材４と千鳥状になるように固定する。この際、こけら板が外装用こけら板である場合には前に固定したこけら板の取付けプレート１の上面Ａの上方部位1bに沿って粘着又は固着されている帯状のシール材６の表面に隣接するこけら板の表面材４の裏面が当接して取付けプレート１の底面Ｂ上の雨水等が取付けプレート１の上方部位1bを越えて建築物の下地材上に流れ込むことを防止するのである。従って、こけら板が外装用こけら板である場合には固定金具５の長手方向と直角方向に上方側のこけら板を固定した後に、その底面Ｂの表面側の他方側側方部位1eに沿って帯状のシール材６が粘着又は固着される位置に固定具挿通穴1fが穿設されている場合にはその固定具挿通穴1fの位置でタッピンビスにより外装用こけら板を固定金具５に固定する操作及び取付けプレート１の上面Ａの上方部位1b及び底面Ｂの表面側の他方側側方部位1eに沿って帯状のシール材６を粘着又は固着する操作も繰り返して固定金具５の長手方向と直角方向にこけら板を順次固定する。
【００２２】
このようにしてこけら板が施工されると、下方側のこけら板の表面材４の上方側に上方側のこけら板の表面材４が千鳥状になるように固定して配置固定されているので、意匠性に富んだ壁面や天井面や屋根面が構成されるのである。
【００２３】
そして、こけら板が外装用こけら板である場合には、降雨時等の雨水はその大部分が表面材４上を流下するが、その一部は固定金具５の長手方向と直交する表面材４同士の突合わせ部の間から取付けプレート１の底面Ｂ上に至るが、取付けプレート１は切欠部1aの他方側端縁から他方の側縁までに至る全幅に亘る上方部位1bと、少なくとも上方部位1bに連続し切欠部1aの下方側端縁から下方の側縁までに至る全長に亘る一方側側方部位1cと、更に場合によっては一方側側方部位1cの下方側に連続し且つ取付けプレート１の上方部位1bの他方側の下方側端縁から下方の側縁に至る底面Ｂの表面側に位置する他方側側方部位1eに到達しない下方部位1dも平面状の上面Ａを成しているので、この上面Ａと底面Ｂとの境界には段部が形成されていることにより底面Ｂ上の雨水等は上面Ａに至ることがなく、また取付けプレート１の底面Ｂの表面側の他方側側方部位1eに沿って帯状のシール材６が粘着又は固着されているので、取付けプレート１の底面Ｂの表面側の他方側側方部位1eから雨水等が建築物の下地材上に至ることはなく、総ての雨水等は取付けプレート１の底面Ｂにおける一方側側方部位1cの他方側端縁と他方側側方部位1eの帯状のシール材６の一方側端縁との間か、又は下方部位1dが存在する態様では下方部位1dの他方側端縁と他方側側方部位1eの帯状のシール材６の一方側端縁との間から流下するのである。
【００２４】
また、こけら板が外装用こけら板である場合に、前記雨水等の流下経路から逆方向に侵入してきた風等によって吹き上げられて来た雨水等は、固定金具５の長手方向と直角な下方向の外装用こけら板の上面Ａの上方部位1b上の帯状のシール材６の表面と固定金具５の長手方向と直角な上方向の外装用こけら板の底面Ｂの水勾配方向下流側の裏面とが接触しているため、建築物の下地材上に至ることはないのである。
【００２５】
尚、図示した実施例のように底面Ｂの表面側の他方側側方部位1eに沿って帯状のシール材６が粘着又は固着される位置ではない位置に固定具挿通穴1fが穿設されている場合にはこの固定具挿通穴1fに挿通されている固定具と固定具挿通穴1fとの間隙を通って雨水等が固定金具５上に流下することが考えられるが、この場合には固定具の頭の周囲にコーキング剤等を盛り付けることで解消できる。そして、固定金具５が係合鉤5aの両側に所定間隔を有して平行に突条部5bが立設されており両側の係合鉤5aと突条部5bとの間の下方が中空5cに形成されているような横断面形状のものである場合には、このコーキング剤等が経時的に劣化しても流下した雨水等は固定金具５の係合鈎5aと突条部5bとの間や中空5c内に貯って固定金具５の両端から排出されるのである。
しかしながら、底面Ｂの表面側の他方側側方部位1eに沿って帯状のシール材６が粘着又は固着される位置に固定具挿通穴1fが穿設されている場合には、このような現象は発生しないのである。
【００２６】
【発明の効果】
以上に詳述したように、本発明に係るこけら板は、構成部材数が少なくて容易に製造できるにも拘らず意匠効果に優れているので、建築物の内壁面や天井面のような内装用として使用できるのみならず、更に取付けプレートの上面の上方部位及び底面の表面側の他方側側方部位に沿って帯状のシール材を粘着又は固着する構造であると雨仕舞が良好で建築物の屋根面や外壁面を構成することができるものであり、本発明に係るこけら板の施工方法は固定金具を用いて極めて簡単に前記本発明に係るこけら板の効果を奏するように意匠効果に優れた建築物の内装面や外装面を施工することができる施工方法であり、従来の意匠効果において劣っていた建築物の内装面や外装面を画期的に向上させることができるという優れた効果を奏するものであり、その建築分野に貢献する価値の非常に大きなものである。
【図面の簡単な説明】
【図１】  本発明に係る内装用こけら板の１実施例の構造を示す正面図である。
【図２】  図１の右側面図である。
【図３】  図１の平面図である。
【図４】  図１に示した内装用こけら板を構成する金属製の取付けプレートの斜視図である。
【図５】  本発明に係る外装用こけら板の１実施例の構造を示す正面図である。
【図６】  図５の右側面図である。
【図７】  図５の平面図である。
【図８】  図５に示した外装用こけら板を構成する金属製の取付けプレートの斜視図である。
【図９】  図１及び図５に示したこけら板を構成する表面材の正面図である。
【図１０】  図９の右側面図である。
【図１１】  図５に示した外装用こけら板にシール材を装着した状態を示す斜視図である。
【図１２】  こけら板を建築物の下地材に固定する固定金具の斜視図である。
【図１３】  本発明に係るこけら板を上下左右に連結した状態を示す正面図である。
【図１４】  図１３の平面図である。
【図１５】  図１３に示したこけら板が建築物に固定されている状態を示す側断面説明図である。
【符号の説明】
１  取付けプレート
1a  切欠部
1b  上方部位
1b'  立上り辺
1c  一方側側方部位
1c'  立下り辺
1d  下方部位
1d'  立下り辺
1e  他方側側方部位
1e'  立上り辺
1f  固定具挿通穴
1g  スタッドボルト挿通穴
Ａ  上面
Ｂ  底面
２  シール装着部材
３  取付用部材
3a  係合鉤
４  表面材
4a  スタッドボルト
５  固定金具
5a  係合鈎
5b  突条部
5c  中空
６  帯状のシール材
【図１】
0004004810.tif 000002
【図２】
0004004810.tif 000003
【図３】
0004004810.tif 000004
【図４】
0004004810.tif 000005
【図５】
0004004810.tif 000006
【図６】
0004004810.tif 000007
【図７】
0004004810.tif 000008
【図８】
0004004810.tif 000009
【図９】
0004004810.tif 000010
【図１０】
0004004810.tif 000011
【図１１】
0004004810.tif 000012
【図１２】
0004004810.tif 000013
【図１３】
0004004810.tif 000014
【図１４】
0004004810.tif 000015
【図１５】
0004004810.tif 000016